(57)【要約】【課題】高い逆洗効果を発揮し濾過性能を確実に回復させて長時間の造水操作を可能にする移動式造水機および逆洗装置を提供する。【解決手段】自転車やモータサイクルの駆動輪から回転力が伝達されて駆動する濾過ポンプ８を有し、この濾過ポンプ８の吐出側に濾過装置４を接続し、吸入側を水源に浸漬させるように構成された移動式造水機において、濾過装置４の逆洗装置として、濾過装置４の濾過水出口側に接続され濾過水を貯留する濾過水タンク１９と、この濾過水タンク１９内に加圧空気を導入するための空気タンク２１と、この空気タンク２１に着脱自在に接続され空気タンク２１内の空気を加圧する空気入れ２８と、空気タンク２１と濾過水タンク１９の間に介設される開閉弁２２とを備えてなることを特徴とする。【選択図】図３
2007301485.tif 000002
【特許請求の範囲】
【請求項１】
自転車やモータサイクルの駆動輪から回転力が伝達されて駆動する濾過ポンプを有し、この濾過ポンプの吐出側に濾過装置を接続し、吸入側を水源に浸漬させるように構成された移動式造水機において、
上記濾過装置の逆洗装置として、上記濾過装置の濾過水出口側に接続され濾過水を貯留する濾過水タンクと、この濾過水タンク内に加圧空気を導入するための空気タンクと、この空気タンクに着脱自在に接続され空気タンク内の空気を加圧する加圧手段と、上記空気タンクと上記濾過水タンクの間に介設される開閉弁と、を備えてなることを特徴とする移動式造水機。
【請求項２】
上記濾過水タンクが上記濾過装置の上方に配置されている請求項１記載の移動式造水機。
【請求項３】
上記空気タンクが上記濾過水タンクの上方に配置されている請求項１または２記載の移動式造水機。
【請求項４】
上記濾過装置としてＵＦ膜またはＭＦ膜モジュールを有する請求項１〜３のいずれか１項に記載の移動式造水機。
【請求項５】
上記空気タンクに、空気入れを接続するための接続部と、上記空気タンク内の圧力を示す圧力計が設けられている請求項１〜４のいずれか１項に記載の移動式造水機。
【請求項６】
上記逆洗装置が、上記濾過装置に対して着脱可能に構成されている請求項１〜５のいずれか１項に記載の移動式造水機。
【請求項７】
自転車やモータサイクルの駆動輪から回転力が伝達されて駆動する濾過ポンプと、この濾過ポンプの吐出側に接続された濾過装置とを有する移動式造水機に接続される逆洗装置であって、
上記逆洗装置が、濾過水を貯留する濾過水タンクと、この濾過水タンク内に加圧空気を導入するための空気タンクと、この空気タンク内の空気を加圧する加圧手段と、上記空気タンクと上記濾過水タンクとの間に介設される開閉弁と、上記濾過水タンクを上記濾過装置の濾過水出口側に着脱自在に接続するための接続手段と、を備えてなることを特徴とする逆洗装置。
【請求項８】
上記濾過装置がＵＦ膜またはＭＦ膜モジュールからなり、濃縮水またはエアー抜き用として設けられている出口を通じて上記濾過装置を洗浄した洗浄排水を排出するように構成されている請求項７記載の逆洗装置。
【請求項９】
上記加圧手段として自転車用空気入れを有する請求項７または８記載の逆洗装置。
【発明の詳細な説明】
【技術分野】
【０００１】
本発明は、災害等の緊急時において河川や池等の水源から飲料水を造水するのに好適な移動式造水機および逆洗装置に関するものである。
【背景技術】
【０００２】
地震等の災害が発生してライフ・ラインが遮断された被災地では、まず、飲料水を確保することが必要となる。
【０００３】
飲料水を確保する手段として、トラック等の車両に膜濾過装置を搭載した浄水設備が実用化されている。ところが、この種の自走式浄水設備は、被災地に通じる道路が分断されたり交通が混雑した場合には現地への到着が遅れるため、迅速な対応を期待することができない。そこで、自転車やモーターサイクルに小型の濾過装置を搭載した移動式造水機も実用化されている（例えば、特許文献１参照）。
【０００４】
自転車やモーターサイクルは、それらの車輪が通過し得る道幅さえあれば走行が可能であるため、上記自走式浄化設備に比べると機動力に優れており、迅速に被災地に移動して造水作業を行なうことができる。
【０００５】
しかも、自転車搭載型の場合は、人力で濾過装置のポンプを駆動するため、電気やガソリン等のエネルギー源が確保できなくとも造水が可能である。また、モーターサイクル搭載型では燃料タンクにガソリンがある範囲で造水が可能である。
【０００６】
図７は上記移動式造水機の一具体例を示したものである。同図に示すように、複数の浄水筒５０ａ〜５０ｄを直列に接続した濾過装置５０が自転車５５の荷台に搭載され、浄水筒５０ａ側から被処理水を供給するためのパイプ５１および送りポンプ５２が備えられている。なお、送りポンプ５２の吸入側にはホース５３が接続され、このホース５３の先端は水源に浸漬されるようになっている。
【０００７】
また、送りポンプ５２の駆動シャフトにはギヤ５４が設けられ、このギヤ５４は、自転車５５の後輪回転軸５６に設けられたギヤとチェーン５７を介し回転するギヤ５８と歯合するようになっている。
【０００８】
ペダルを漕いで後輪５９を回転させると、その回転力がチェーン５７を介して送りポンプ５２に伝達され、ポンプ５２は水源の被処理水をホース５３を通じて汲み上げ、濾過装置５０に供給することができる。
【０００９】
濾過装置５０に供給された被処理水は、浄水筒５０ａ〜５０ｄに順次送られることによって浄化され、飲料水が造水される。この飲料水はパイプ６０、ホース６１から取り出される。
【００１０】
上記移動式造水機が利用する水源としては、河川、溜池、井戸水、或いはプール等が想定されるが、水質によっては濾過装置５０が短時間に詰まってしまうことが予想される。そこで、浄水用の送りポンプ５２とは別に逆洗用の送りポンプ６２が設けられている。
【００１１】
この送りポンプ６２のギヤ６３をギヤ５８と歯合させ、ホース６４を浄水タンク（図示しない）に浸漬した状態で送りポンプ６２を駆動させると、浄水が浄水筒５０ｄから５０ａに逆流し、濾過装置５０を洗浄することができる。このように逆洗を行なうことにより、低下した濾過性能を回復させている。
【００１２】
なお、移動式造水機以外の濾過設備では、逆洗時に空気の流れを利用する方法も知られている（例えば、特許文献２参照）。この方法は、濾過ポンプとは別に水流ポンプを設け、この水流ポンプによる吸引力を利用して濾過室内を負圧にし、空気を濾過室内に導いて気泡を発生させ、濾過装置を洗浄するというものである。
【特許文献１】再公表特許ＷＯ００／５９８３２号公報
【特許文献２】特許第３１２５１３５号公報
【発明の開示】
【発明が解決しようとする課題】
【００１３】
しかしながら、上記した特許文献１に記載の移動式造水機では、水源の水質によっては濾過装置５０の濾過性能を十分回復させることができない場合がある。
【００１４】
詳しくは、濾過装置５０における最終濾過に用いられる浄水筒には中空糸などの濾材が使用されるが、最終濾過段階まで到達した細かい粒子を捕獲できるようにその中空糸の濾過径を選定するのが一般的である。したがってこのような濾過径の小さい中空糸の内部まで微細粒子が深く侵入すると、単に水流を逆流させるだけではその微細粒子を完全に剥離させることが難しい。
【００１５】
また、濁質は粒子状に限らず不定形のものも存在し、不定形のもののいずれかは中空糸膜の細孔をすり抜け、内部に到達することもある。このことも逆洗だけでは濾過性能の回復が望めない原因の一つとなっている。さらにまた、上記移動式造水機では、濾過用と逆洗用の二つのポンプを必要とし、ポンプ切換機構も必要となるため、装置が複雑になるという問題もある。
【００１６】
また、上記特許文献２に示されている、空気を利用した逆洗方法を採用したとしても吸引力が低いことから、中空糸膜を振動させるほどの洗浄効果は期待できない。
【００１７】
本発明は以上のような従来の移動式造水機における課題を考慮してなされたものであり、簡単な構成でありながら高い逆洗効果を発揮して濾過性能を確実に回復させることができ、それによって長時間の造水操作を可能にする移動式造水機および逆洗装置を提供するものである。
【課題を解決するための手段】
【００１８】
本発明は、逆洗装置付きの移動式造水機に関する第一の形態と、逆洗装置を備えていない移動式造水機に対して後付けするように構成された逆洗装置に関する第二の形態とがある。
【００１９】
本発明の第一の形態は、自転車やモータサイクルの駆動輪から回転力が伝達されて駆動する濾過ポンプを有し、この濾過ポンプの吐出側に濾過装置を接続し、吸入側を水源に浸漬させるように構成された移動式造水機において、上記濾過装置の逆洗装置として、濾過装置の濾過水出口側に接続され濾過水を貯留する濾過水タンクと、この濾過水タンク内に加圧空気を導入するための空気タンクと、この空気タンクに着脱自在に接続され空気タンク内の空気を加圧する加圧手段と、空気タンクと濾過水タンクの間に介設される開閉弁と、を備えてなる移動式造水機である。
【００２０】
上記第一の形態に係る移動式造水機において、濾過装置の上方に濾過水タンクを配置すれば、空気タンクからの加圧空気が濾過装置にショートパスすることを防止することができる。
【００２１】
また、濾過水タンクの上方に空気タンクを配置すれば、濾過水タンク内の濾過水が空気タンクに進入することを防止することができる。
【００２２】
また、上記濾過装置の具体例としてはＵＦ（限外濾過）膜モジュールまたはＭＦ（精密濾過）膜モジュール等が示される。
【００２３】
また、上記空気タンクに、空気入れを接続するための接続部と、空気タンク内の圧力を示す圧力計を設けることが好ましい。それにより、濾過水タンクに導入する加圧空気の圧力を適性値に調節することができる。
【００２４】
また、上記逆洗装置を濾過装置に対して着脱可能に構成すれば、例えば濁度の極めて低い井戸水を水源とするような場合には、逆洗装置を取り外した状態で造水が行なえる。また、逆洗装置のメンテナンスが簡単に行なえる。
【００２５】
本発明の第二の形態は、自転車やモータサイクルの駆動輪から回転力が伝達されて駆動する濾過ポンプと、この濾過ポンプの吐出側に接続された濾過装置とを有する移動式造水機に接続される逆洗装置であって、上記逆洗装置が、濾過水を貯留する濾過水タンクと、この濾過水タンク内に加圧空気を導入するための空気タンクと、この空気タンク内の空気を加圧する加圧手段と、空気タンクと濾過水タンクとの間に介設される開閉弁と、濾過水タンクを濾過装置の濾過水出口側に着脱自在に接続するための接続手段と、を備えてなる逆洗装置である。
【００２６】
上記第二の形態に係る逆洗装置において、濾過装置をＵＦ膜モジュールまたはＭＦ膜モジュールで構成した場合、濃縮水またはエアー抜き用として設けられている出口を通じ、濾過装置を洗浄した洗浄排水を排出することができる。
【００２７】
また、加圧手段として自転車用空気入れを有することができる。
【発明の効果】
【００２８】
本発明の第一の形態に係る移動式造水機によれば、簡単な構成でありながら高い逆洗効果を発揮して濾過性能を確実に回復させることができ、それによって長時間の造水操作を可能にすることができる。
【００２９】
本発明の第二の形態に係る逆洗装置によれば、逆洗装置を備えていない既存の移動式造水機に対し逆流洗浄機能を簡単に付加することができる。
【発明を実施するための最良の形態】
【００３０】
以下、図面に示した実施の形態に基づいて本発明を詳細に説明する。
【００３１】
図１は、本発明に係る移動式造水機（第一の形態）の構成を示した正面図であり、図２はその背面図である。
【００３２】
両図において１は従来公知の自転車であり、前輪１ａ、後輪１ｂ、本体フレーム１ｃ、荷台１ｄを有し、後輪１ｂの車軸１ｅに固定されている従動スプロケット１ｆと、左右のペダル１ｇが固定されている駆動軸１ｈの駆動スプロケット１ｉとにエンドレスチェーン１ｊが架設されている。
【００３３】
造水ユニット２は荷台１ｄに設置されており、濾過ポンプ（後述する）を収納したケース３と、濾過装置４と、前処理用の第一および第二フィルタ５，６と、逆洗装置７とから主として構成されている。
【００３４】
逆洗装置７は後で詳しく説明するが、配管１８、２０を介して濾過水タンク１９と空気タンク２１とを直列に接続し、かつそれらを略垂直に配置している。また、濾過水タンク１９は濾過装置４よりも上方に配置され、空気タンク２１は濾過水タンク１９よりも上方に配置されている。
【００３５】
以下、各部の構成について図３のブロック図を参照しながら説明する。
【００３６】
８は濾過ポンプであり、この濾過ポンプ８の駆動シャフト８ａにはスプロケット８ｂが固定されており、このスプロケット８ｂは、上記車軸１ｅの従動スプロケット１ｆと並設されたスプロケット１ｋとエンドレスチェーン９を介して連結されている。
【００３７】
なお、駆動シャフト８ａには図示しないクラッチが備えられており、濾過ポンプ８を駆動させる必要がない時はそのクラッチを切ってスプロケット８ｂを空転させるようになっている。
【００３８】
濾過ポンプ８の吸入側ポート８ｃにはホース１０を介して粗フィルタ１１が接続されており、この粗フィルタ１１は被処理水を採取するため、河川や溜池等の水源に浸漬されるようになっている。
【００３９】
また、濾過ポンプ８の吐出側ポート８ｄには、被処理水の前処理用として、濾過材を充填した上記第一フィルタ５と第二フィルタ６が直列に接続されている。
【００４０】
第二フィルタ６は配管１２を介してＵＦ膜モジュールからなる濾過装置４に接続され、その配管１２には圧力計１３とバルブ１４が介設され、さらに配管１２から分岐する第一排出管１２ａには第一バルブ１５が介設されている。なお、上記ＵＦ膜モジュールに代えてＭＦ膜モジュールを使用することもできる。
【００４１】
濾過装置４は全量濾過タイプのもので構成され、図４に示すように、底蓋部４ａと上蓋部４ｂを有する円筒状容器４ｃを外装として有し、底蓋部４ａには被処理水を導入するための導入口４ｄが備えられ、上蓋部４ｂには濾過水を排出するための排出口４ｅが備えられている。
【００４２】
また、円筒状容器４ｃの側壁には濃縮水（またはエアー抜き用）を排出しながら濾過を行なうタイプにも兼用できるように口部４ｆが備えられている。
【００４３】
円筒状容器４ｃ内には、多数本の中空糸４ｇが束状に収納されており、中空糸４ｇの外面側に導入された被処理水は、中空糸４ｇの細孔を通過することによって濾過され、濾過水は中空糸４ｇの内部を通って円筒状容器４ｃの上部室Ａに集合し、排出口４ｅから送り出されるようになっている。
【００４４】
図３に戻って説明する。
【００４５】
濾過装置４の側壁に設けられた口部４ｆには第二排出管１６が接続されており、この第二排出管１６には第二バルブ１７が介設されている。
【００４６】
濾過水出口側となる上記排出口４ｅは、配管１８を介して濾過水タンク１９の底部１９ａに接続されている。
【００４７】
なお、図では紙面の都合上、濾過装置４と並べて濾過水タンク１９を描いているが、実施状態ではこの濾過水タンク１９は濾過装置４の上方に配置される（図１参照）。それにより、後述する空気タンク２１によって加圧された空気が濾過装置４にショートパスしないようにしている。
【００４８】
一方、濾過水タンク１９のさらに上方には空気タンク２１が配置されており、両タンク１９，２１は濾過水タンク１０の上部１９ｂから立設延設された配管２０を通じて接続されている。なお、空気タンク２１を濾過水タンク１９の上方に配置する理由は、濾過水が空気タンク２１内に侵入することを防止するためである。
【００４９】
上記配管２０には第三バルブ（開閉弁）２２が介設されている。また、配管２０は濾過水を取り出すための取水管２３が分岐して形成されており、この取水管２３には第四バルブ２４が介設されている。
【００５０】
さらに、空気タンク２１には逆止弁２５を備えた配管２６が接続され、この配管２６の先端には接続部２７が設けられている。この接続部２７には自転車用空気入れ（加圧手段）２８のホース先端を接続することができるようになっている。なお、空気タンク２１内の圧力は圧力計２９によって表示される。
【００５１】
次に、上記構成からなる移動式造水機の動作について説明する。
【００５２】
なお、自転車１のスタンドを立てることによって、後輪１ｂを空転させることができ、粗フィルタ１１は水源に浸漬されていることを前提とする。
【００５３】
バルブ１４と２４を開き、バルブ１５、１７、２２はそれぞれ閉じておく。
【００５４】
ペダル１ｇを漕ぐと後輪１ｂが回転し、エンドレスチェーン９を介してスプロケット８ｂが回転することにより、駆動シャフト８ａが回転し、濾過ポンプ８が駆動する。
【００５５】
それにより、粗フィルタ１１から被処理水が汲み上げられ、汲み上げられた被処理水は第一フィルタ５と第二フィルタ６に順次導入されて前処理される。
【００５６】
前処理された被処理水は、次に濾過装置４に導入されて限外濾過され、濾過水として送り出される。
【００５７】
濾過装置４から送り出された濾過水は濾過水タンク１９に貯留され、この濾過水タンク１９が満水になるとバルブ２４を通じて取水管２３から取水することができる。
【００５８】
上記の濾過処理を実行することによって被処理水から浄水が造水されるが、この処理を継続して行なうと、粗フィルタ１１、第一および第二フィルタ５，６および濾過装置４に濁質が蓄積されていく。
【００５９】
その結果、圧力計１３に表示される圧力が上昇し、取水される水量も次第に低下してくる。
【００６０】
このような圧力上昇や取水量低下の主原因は、濾過装置４における濁質の蓄積である。したがって、継続して濾過性能を維持するためには、濾過装置４の中空糸４ｇに付着した濁質を定期的に除去する必要がある。
【００６１】
なお、粗フィルタ１１、第一および第二フィルタ５，６についても同様に濁質が付着するが、これらは比較的安価であり、詰まりが激しくなると、交換すればよい。
【００６２】
ところで、濁質除去のために行なわれる従来の逆洗作業では、濾過水を濾過操作とは逆向きにして流して膜表面に蓄積した濁質を洗い流そうとするものが一般的である。例えば図７に示した移動式造水機では、逆洗用の送りポンプ５８を備えている。
【００６３】
このような移動式造水機では、濾過用の送りポンプ５２とは別に逆洗用の送りポンプ６２を備えなければならないため、装置が複雑になりコストも高くなる。加えて、送りポンプの切換操作が必要となり、操作も繁雑になる。
【００６４】
さらに、濾過装置内で水流を逆流させても水源の水質によっては、濁質を十分に洗い流すことができない場合がある。
【００６５】
これに対し、本実施形態の移動式造水機によれば、図３に示したように送りポンプとしては１台の濾過ポンプ８を使用するだけであるから装置が簡素化され、操作も簡単になる。
【００６６】
上記逆洗の簡素化は以下の手順によって実現することができる。
【００６７】
まず、移動式造水機の運転中、バルブ２２は閉状態とし、自転車用空気入れ２８を用いて空気タンク２１内に空気を封入し加圧しておく。
【００６８】
空気タンク２１の圧力は圧力計２９によって示されるが、および０．２〜０．４Ｍｐａ程度に加圧する。
【００６９】
次に、逆洗を行なう場合、濾過ポンプ８の駆動を停止させ、バルブ１４、１５、２４を閉じ、バルブ１７を開く。
【００７０】
この状態で第三バルブ２２を開くと、空気タンク２１内に加圧封入されていた空気が一気に開放され、濾過水タンク１９に導入される。
【００７１】
それにより、濾過水タンク１９に貯留されていた濾過水が濾過装置４に送り込まれる。
【００７２】
濾過装置４内では、濾過水の濾過処理時とは逆の流れが発生することにより、中空糸４ｇの膜表面に付着した濁質が洗い流されるが、空気タンク２１から導入した加圧空気も同時に濾過装置４内に導入されるため、水流と加圧空気が同時に濾過装置４内に流れ込むことになる。
【００７３】
その結果、中空糸４ｇの膜は水流を受けることによって洗浄されるとともに、加圧空気流を受けることによって激しく揺れ、その結果、中空糸４ｇの膜内部に深く入り込んだ濁質物質もはがれ落とされる。さらに、中空糸４ｇの細孔をすり抜けて膜内に侵入した不定形の物質も除去される。
【００７４】
このように、水流と加圧空気が流れることによって濾過装置４内で撹拌が行なわれ、濁質を含んだ洗浄排水は濾過装置４内を上昇し、第二排出管１６、第二バルブ１７を通じて排出される。
【００７５】
所定時間逆洗が行なわれると、第一バルブ１５を開き、濾過装置４内に残存する洗浄排水を自重で排出させる。
【００７６】
このような水と加圧空気の混合流によって空気が膜表面に流れてくる状況は、目視でも観察することが可能であり、逆洗効果を確認することができる。
【００７７】
なお、濾過装置４として濃縮水を排出しながら濾過を行なうタイプを使用する場合には、第二バルブ１７は常時開とする。
【００７８】
〈 実施例 〉
自転車搭載型の移動式造水機の構成について実施例を以下に示す。
(ａ)自転車            24インチ型：1780ｍｍ（長さ）×620ｍｍ（幅）×1100ｍｍ（高
さ）
(ｂ)ＵＦ膜モジュール  中空糸の材質：ポリエーテルスルホン
外形寸法：φ79（胴径）×250ｍｍ（全長）
有効濾過面積：２ｍ2
(ｃ)送りポンプ        ベーンポンプ
(ｄ)後輪回転数        約７０回転／分
(ｅ)被処理水採取場所  大阪市内二級河川
〈 結果 〉
図５は濾過水を利用した従来の逆流洗浄法による運転結果を比較例として示したものであり、(ａ)は圧力性能を示し、(ｂ)は水量性能を示している。
【００７９】
従来の逆洗方法を再現するにあたり、図３に示した移動式造水機において、濾過装置４を一旦、装置から取り外し、入口と出口を逆にして付け替えた。また、予め、この移動式造水機で濾過処理された濾過水を別容器に貯めておき、粗フィルタ１１をその別容器に浸漬させ、バルブ１５、１７、２２を閉じる一方でバルブ１４、２４を開き、濾過ポンプ８を駆動させて濾過水を濾過装置４に逆流させた。
【００８０】
運転開始後から圧力の上昇と水量の低下が起こった。
【００８１】
１時間４０分経過後には図５(ａ)に示したようにポンプ吐出圧は初期圧０．０６Ｍｐａから０．１４Ｍｐａに上昇し、濾過水量は５リットル／分から２．８リットル／分に低下した。
【００８２】
この時点で運転を中断し、逆流洗浄を実施した。
【００８３】
その結果、運転再開後には、吐出圧０．１２Ｍｐａ、濾過水量３．３リットル／分に若干回復したものの、大きな回復には至らなかった。
【００８４】
このまま運転を継続し、その後１時間経過毎に逆洗を実施したが、図５(ａ)および(ｂ)に示されるように、水流のみの逆流洗浄では吐出力の上昇を抑制することはできず、また、水量を上昇させる効果も少なかった。結果として濾過性能が経時的に低下することを防止することはできなかった。
【００８５】
図６は本発明による加圧空気と濾過水を併用した逆洗による運転結果を示したものであり、(ａ)は圧力性能を示し、(ｂ)は水量性能を示している。
【００８６】
本発明ではポンプの切り替えも必要なく、また、濾過装置４を付け替えることもなしに、単にバルブの切替操作だけで逆流洗浄を可能にしている。
【００８７】
詳しくは、圧力計２９の指示が０．３Ｍｐａとなるように空気タンク２１内を加圧し（図３参照）、上記実施形態で説明した通りの加圧空気と濾過水併用による逆洗を１時間毎に行なった。
【００８８】
図６(ａ)に示すように、運転初期のポンプ吐出圧は０．０６Ｍｐａ、濾過水量は５リットル／分であったが、４０分経過後にポンプ吐出圧は０．０９Ｍｐａに上昇、濾過水量は４．４リットル／分に低下した。
【００８９】
この時点で運転を中断し、逆洗を実施し運転を再開した。
【００９０】
その結果、ポンプ吐出圧は０．０５ＭＰａに下がり、濾過水量は５．１リットル／分に回復した。その後、１時間経過毎に上記併用法で逆洗を繰り返し、運転を継続した。
【００９１】
図５に示した水流のみで逆洗する場合に比べ、ポンプ吐出圧、濾過水量ともに顕著な差が確認された。このことから、加圧空気と濾過水を併用して逆洗することに明らかに効果があると認められる。
【００９２】
なお、上記逆洗装置７を移動式造水装置に対して着脱可能に構成すれば、例えば濁度の極めて低い井戸水を水源とするような場合には、逆洗装置７を取り外した状態で造水が行なえる。また、逆洗装置７のメンテナンスが簡単に行なえる。
【００９３】
また、逆洗装置７を、濾過水タンク１９と、この濾過水タンク１９内に加圧空気を導入するための空気タンク２１と、この空気タンク２１内の空気を加圧する加圧手段としての自転車用空気入れ２８と、空気タンク２１と濾過水タンク１９との間に介設される開閉弁としてのバルブ２２と、濾過水タンク１９を濾過装置４に対して着脱自在に接続するためのワンタッチカプラ（接続手段）とから構成される独立した構成（本発明の第二の形態）にすれば、逆洗装置を備えていない移動式造水機に対して逆洗機能を後付けで付加することが可能になる。
【００９４】
また、この場合、空気タンク２１と空気入れ２８に代えてコンプレッサを使用することもできる。
【００９５】
また、濾過装置４をＵＦ膜モジュールまたはＭＦ膜モジュールで構成すると、各モジュールにおける濃縮水またはエアー抜き用の出口を通じ、濾過装置４を洗浄した洗浄排水を排出することができる。
【図面の簡単な説明】
【００９６】
【図１】本発明に係る自転車搭載型の移動式造水機の構成を示す正面図である。
【図２】図１の背面図である。
【図３】移動式造水機の回路構成を示すブロック図である。
【図４】図３のＵＦ膜フィルタの構成を示す縦断面図である。
【図５】(ａ)は従来の逆流洗浄法による運転結果を示す圧力性能図、(ｂ)は水量性能図である。
【図６】(ａ)は本発明の加圧空気と濾過水逆流洗浄の併用による運転結果を示す圧力性能図、(ｂ)は水量性能図である。
【図７】従来の移動式造水機の構成を示す正面図である。
【符号の説明】
【００９７】
１    自転車
２    造水ユニット
３    ケース
４    濾過装置
５    第一フィルタ
６    第二フィルタ
７    逆洗装置
８    濾過ポンプ
９    エンドレスチェーン
１０    ホース
１１    粗フィルタ
１２    配管
１２ａ  第一排出管
１３    圧力計
１４    バルブ
１５    第一バルブ
１６    第二排出管
１７    第二バルブ
１８    配管
１９    濾過水タンク
２０    配管
２１    空気タンク
２２    第三バルブ
２３    取水管
２４    第四バルブ
２５    逆止弁
２６    配管
２７    コネクタ
２８    自転車用空気入れ
２９    圧力計
【図１】
2007301485.tif 000003
【図２】
2007301485.tif 000004
【図３】
2007301485.tif 000005
【図４】
2007301485.tif 000006
【図５】
2007301485.tif 000007
【図６】
2007301485.tif 000008
【図７】
2007301485.tif 000009